(57)【要約】【課題】夏場建物の温度上昇を防ぐには屋根の冷却が効果がある　。その方法、手段に於いて簡易で一般家庭にも導入され易い安価な効率のよい屋根冷却システムにすること。【解決手段】屋根の棟３に設置された散水器具６で、霧状噴水型に３６０°散水し、屋根瓦２及びその輻射熱をも冷却する。屋根瓦の冷却水として　、雨水及び風呂の残り湯４３を連続循環再利用し、ランニングコストや設備費用を安価にする。第１貯水槽３６第２貯水槽４２は廃浴槽を利用し、資源の有効利　用で環境保護にも役立てる。循環水を濾過する方式は配管途中に濾材２６をセ　ットして行う。また揚水ポンプ３０から散水器具６までの給水配管３１は耐熱　用ゴムホースを使用し、工事を容易せしめる。【選択図】　　　　　図１
2004076541.tif 000002
【特許請求の範囲】
【請求項１】
屋根の棟部に設置された水の蒸発効率を高める霧状噴水型の散水器具で日本瓦及び軽量瓦一面に水をまき、屋根を安価に効率良く冷却するシステム。
【請求項２】
前記散水システムは、雨水と風呂の残り湯のみの循環利用を特徴とする請求項１記載の雨水循環屋根冷却システム
【請求項３】
雨水及び散水の回収方法として、一方のたて樋の途中を切断し、オーバーフロー配管を施にして、横配管で他方のたて樋と接続することを特徴とする請求項１または２記載の雨水循環屋根冷却システム
【請求項４】
揚水ポンプから散水器具までの給水配管を耐熱用ゴムホースで行なうことを特徴とする、請求項１〜３いずれか記載の雨水循環屋根冷却システム
【請求項５】
前期散水システムで循環水の濾過は、循環水回収用のパイプ内で行なうことを特徴とする請求項１〜４いずれか記載の雨水循環屋根冷却システム
【請求項６】
冬期凍結防止用水抜きバルブと雑用水用のバルブは兼用していることを特徴とする請求項１〜５いずれか記載の雨水循環屋根冷却システム
【請求項７】
前記循環水を貯水するタンクとして、廃浴槽を再利用することを特徴とした請求項１〜６いずれか記載の雨水循環屋根冷却システム
【請求項８】
前記循環水の冷却として、濾過パイプの下端から、貯水槽内に設置された多孔平面板上に循環水を放物線状に流下して放熱を行う方法を特徴とする請求項１〜７いずれか記載の雨水循環屋根冷却システム
【請求項９】
前記散水器具の取付は、棟瓦に固定した取付スタンドにて行うことを特徴とした請求項１〜８いずれか記載の雨水循環屋根冷却システム
【発明の詳細な説明】
【０００１】
【発明の属する技術分野】
本願発明は、屋根瓦に雨水を３６０°霧状噴水型に散水し、また雨水を廃浴槽に貯水して循環再利用するもので、安価なシステムで一般家庭に導入され易い屋根冷却システムに関するものである。
【０００２】
【従来の技術】
屋根瓦を冷却する技術としては、特開２００１−４９８０６や特開２０００−２９７５０２に見られる様に屋根に沿って流下させる散水方式であって霧状に噴水型に３６０°方向に散水して屋根瓦からの輻射熱をも冷却するシステムはなかった。装置もヒートセンサーによる自動散水機構とか、気象条件に応じて電磁弁の開放制御するといった形で複雑である。また地下の貯水槽や電磁弁の配管等設備費用も高くつき、一般家庭用として普及できるものではない。
【０００３】
【発明が解決しようとする課題】
従来の屋根散水システムは制御盤が必要となる複雑な装置で、イニシャルコストが高くつくシステムである。
【０００４】
電磁弁の開閉による散水方式は、屋根の面積が小さい一般家庭では不向きである。
【０００５】
補給水を水道水から取っているのでランニングコストがかかる。
【０００６】
本願発明の目的は、自然のめぐみの雨水及び風呂の残り湯を使い、循環濾過するシステムで屋根瓦の温度を効率良く下げ、節水タイプでイニシャルコストが安く済み、一般家庭でも導入できるシステムを提供するところにある。
【０００７】
【課題を解決するための手段】
本願発明は、散水方法と雨水及び散水の回収方法を工夫することで上記目的を達成するようにしたものである。
【０００８】
屋根瓦を冷却するのに、単なる流下式、噴霧式、噴水式、スプリンクラー式だけでは効率が悪い。
【０００９】
そこで３６０°むらなく散水するこの上記四方式を兼ね備えた霧状噴水型散水方式は、瞬時に屋根瓦２全面をもれなく散水でき、その輻射熱をも冷却する。小容量の散水で冷却効率が高い。
【００１０】
このため揚水ポンプ３０、給水配管３１及び第１貯水槽３６も小容量で済み、低価格の設備が提供できる。
【００１１】
また屋根瓦２の温度が上昇する前から散水を連続に行えば電磁弁開閉方式やヒートセンサーによる自動散水機構といった複雑な装置の必要もなくなりイニシャルコストがかなり安く済む。
【００１２】
風呂の残り湯４３を第２貯水槽４２に送水して補給水として使用すれば水道水が節約できる。
【００１３】
雨水及び風呂の残り湯４３のみで屋根瓦２に散水し、その水を回収し、そして濾過して、循環再利用するシステムは、効率良く屋根瓦２を冷却するため、小容量の設備で済み一般家庭に導入され易い。
【００１４】
また給水配管３１は、揚水ポンプ３０から散水器具６までは耐熱用ゴムホースのため配管工事が容易となる。
【００１５】
第１貯水槽３６第２貯水槽４２は地上置きとし、廃浴槽を使用するので、資源の有効利用に役立ち環境保護にもなる。
【００１６】
図１に示す様に雨水及び散水の回収は、建物の一方の立樋１１と他方の立樋１１を異径チーズ１２を使用して、横配管１０で継ぎ第１貯水槽３６へ回収するシンプルな方法にした。集中豪雨のときは雨水を排水しきれなくなるので、オーバフロー配管１３を施した。
【００１７】
循環水の濾過は図１に示すように回収用のパイプ２０に接続されている濾過パイプ２２で濾過するシステムにし、イニシャルコストが安くなるように工夫した。
【００１８】
【発明の実施の形態】
以下に本発明の実施の形態に係る霧状噴水型による屋根冷却システムを図に基づき説明する。
【００１９】
本実施の形態で霧状噴水型による屋根冷却システムを表わす図１は日本瓦による切妻屋根１の建物を示している。この切妻屋根１の最上部にある棟３に図２に示すように散水器具６をセットした取付スタンド４が棟３に取付金物５で固定されている。この取付金物５は棟瓦であるのし瓦８の２段目と３段目の間に差し込み、ネジ締めで取付スタンド４を固定する役目となす。
【００２０】
これら棟３に取付スタンド４でセットされた散水器具６は、耐熱用ゴム用ホースの給水配管３１を介して図５に示す様に流量調整バルブ３４、逆止弁３５を有している揚水ポンプ３０の吐出し側に接続されている。
【００２１】
揚水ポンプ３０の吸込側は図５に示すように地上に設置された廃浴槽を再利用をした第１貯水槽３６に接続されている。
【００２２】
この揚水ポンプ３０からの給水は、逆止弁３５、流量調整用バルブ３４を通り給水配管３１に入り、図５に示すように分水器具７で２方向に分水されて、棟３上に取付スタンド４で固定された散水器具６で霧状噴水型に切妻屋根１全面に３６０°の方向に散水され、瓦及びその輻射熱を効率良く冷却する。
【００２３】
この揚水ポンプ３０の吐出し側に流量調整用バルブ３４と逆止弁３５以外に植木の水やり、車の洗浄、庭の打ち水等の雑用水用のバルブ３３が戻し配管３２上にセットされている。
【００２４】
冬期凍結防止として給水配管３１内の水抜きは、揚水ポンプ３０が停止のとき可能となる。図５に示すように、戻し配管３２にセットされた雑用水用のバルブ３３は常に開のため、その水自身の重さで給水配管３１内の水は落下し、戻し配管３２を通り第１貯水槽３６へ排出される。
【００２５】
図１に示すように切妻屋根１に降った雨は軒樋１４に集まり、軒樋１４から立樋１１に流れ込む。立樋１１を途中で切断して図３に示すように異径チーズ１２を使って横配管１０で継ぎ雨水を回収用パイプ２０から濾過パイプ２２へと導き、そして第１貯水槽３６に集水する。
【００２６】
風呂の残り湯４３は、図１に示すように、風呂用のバスポンプ４０で吐出されて、風呂の残り湯用配管４１を通り、第２貯水槽４２に集水される。第１貯水槽３６と第２貯水槽４２は連結されていて、風呂の残り湯４３は補給水の役目となる。
【００２７】
図３に示すように、途中切断された立樋１１に異径チーズ１２を取付け、その下端にドロ、ゴミを除去するため取外し可能なキャップ１６をつけた。集中豪雨時のオーバフロー配管１３も取付けた。
【００２８】
第１貯水槽３６第２貯水槽４２に集水された雨水及び風呂の残り湯４３は、図１に示すように揚水ポンプ３０で給水配管３１に送られ、散水器具６を通って霧状噴水型に３６０°方向に散水され屋根瓦２を冷却し軒樋１４に集水される。そして立樋１１、横配管１０を通り回収用パイプ２０に導きかれ濾過パイプ２２で濾過されて、多孔平面板２４上に落下して冷却され、第１貯水槽３６に集水されて循環再利用される。
【００２９】
雨水及び風呂の残り湯４３を循環再利用することで、第１貯水槽３６内の循環水の温度が上昇する。図４に示すように、濾過パイプ２２下端の濾過水放出パイプ２３に放出口を多く設け、第１貯水槽３６の両端にかけた多孔平面板２４上へ循環水を放物線状に落下させれば、一層よく空気と接触するので、３倍程度速く循環水の温度を下げ、また消音効果も期待できる。
【００３０】
屋根瓦の温度が上昇すると、その輻射熱で屋根裏の温度も上昇する。高温になった屋根裏は、屋根瓦を冷却しても、なかなか温度が下がらない。屋根瓦の温度が外気温のときに連続して散水を行えば効率的に屋根の冷却ができる。
【００３１】
図４に示すように回収用パイプ２０と濾過パイプ２２との接続部に大きなゴミ取り用のチーズ２１を取りつけた。また濾過パイプ２２内の目詰りで水位が上昇するのを防止するため濾過パイプ用オーバフロー配管２５を設けた。
【００３２】
【発明の効果】
本願発明の霧状噴水方式による屋根冷却システムは屋根面及びその輻射熱をも冷却するので冷却効率が高い。そのため雨水及び風呂の残り湯４３だけの循環再利用を目的とした小容量の設備が可能となり、イニシャルコストも安く、一般家庭に導入し易い。第１貯水槽３６第２貯水槽４２とも廃浴槽を再利用するので雨水と風呂の残り湯４３とともに資源の有効利用となっている。近い将来地球温暖化が言われているが、高熱をまき散らす冷房機器の使用頻度が減り、ＣＯ２削減への大きな効果が得られる。
【図面の簡単な説明】
【図１】本願発明にかかる雨水循環屋根冷却システムの実施の形態を示す住宅を含めた斜視図である。
【図２】本願発明にかかる雨水循環屋根冷却システムの主要部となる散水手段の断面図である。
【図３】本願発明にかかる雨水循環屋根冷却システムの散水の集水配管の正面図である。
【図４】本願発明にかかる雨水循環屋根冷却システムの循環水の濾過及び冷却方法を示す断面図である。
【図５】本願発明にかかる雨水循環屋根冷却システムの給水部の配管の正面図である。
【符号の説明】
１　　切妻屋根
２　　屋根瓦
３　　棟
４　　取付スタンド
５　　取付金物
６　　散水器具
７　　分水器具
８　　のし瓦
１０　横配管
１１　立樋
１２　異径チーズ
１３　オーバーフロー配管
１４　軒樋
１６　キャップ
２０　回収用パイプ
２１　大きなゴミ取り用チーズ
２２　濾過パイプ
２３　濾過水放出パイプ
２４　多孔平面板
２５　濾過パイプ用オーバーフロー配管
２６　濾材
３０　揚水ポンプ
３１　給水配管
３２　戻し配管
３３　雑用水用のバルブ
３４　流量調整用バルブ
３５　逆止弁
３６　第１貯水槽
４０　バスポンプ
４１　風呂の残り湯用配管
４２　第２貯水槽
４３　風呂の残り湯
【図１】
2004076541.tif 000003
【図２】
2004076541.tif 000004
【図３】
2004076541.tif 000005
【図４】
2004076541.tif 000006
【図５】
2004076541.tif 000007